(57)【要約】      （修正有）【課題】入射光を連続して取り込むことができる光電変換回路を提供する。【解決手段】２個の容量が設けられ、スイッチ２０〜２１がオンしてスイッチ２３がオフすることにより、容量２２に１回目の入射光による電気信号Ｖｌ１に基づいた電圧が蓄積され、その後、その電圧を信号処理回路３０が信号処理する前に、スイッチ２０及びスイッチ２３がオンしてスイッチ２１がオフすることにより、容量２４に２回目の入射光による電気信号Ｖｌ２に基づいた電圧が蓄積される。つまり、光電変換回路１０は１〜２回の入射光を連続して取り込むことができる。【選択図】図１
2010199700.tif 000002
【特許請求の範囲】
【請求項１】
出力電圧を後段の信号処理回路によって信号処理される光電変換回路において、
入射光を電気信号に変換する光電変換素子と、
前記光電変換素子の出力端子と前記光電変換回路の出力端子との間に順番に設けられる第１スイッチ及び第２スイッチと、
前記第１スイッチ及び前記第２スイッチの接続点と接地端子との間に第３スイッチ及び第１容量を順番に有し、前記第１スイッチ及び前記第３スイッチがオンすると前記第１容量に前記電気信号に基づいた電圧を蓄積し、前記第２スイッチ及び前記第３スイッチがオンすると前記第１容量から前記電気信号に基づいた電圧を出力する複数個の第１蓄積回路と、
を備えることを特徴とする光電変換回路。
【請求項２】
各前記第３スイッチは、前記第２スイッチがオンしている時に順次オンすることを特徴とする請求項１記載の光電変換回路。
【請求項３】
各前記第３スイッチは、前記第２スイッチがオンしている時に同時にオンすることを特徴とする請求項１記載の光電変換回路。
【請求項４】
前記光電変換素子の出力電圧をリセット電圧にリセットするためのリセット端子と、
前記光電変換素子の出力端子と前記光電変換回路の出力端子との間に順番に設けられる第４スイッチ及び第５スイッチと、
前記第４スイッチ及び前記第５スイッチの接続点と接地端子との間に第６スイッチ及び第２容量を順番に有し、前記第４スイッチ及び前記第６スイッチがオンすると前記第２容量に前記リセット電圧に基づいた電圧を蓄積し、前記第５スイッチ及び前記第６スイッチがオンすると前記第２容量から前記リセット電圧に基づいた電圧を出力する複数個の第２蓄積回路と、
をさらに備えることを特徴とする請求項１記載の光電変換回路。
【請求項５】
各前記第６スイッチは、前記第５スイッチがオンしている時に順次オンすることを特徴とする請求項４記載の光電変換回路。
【請求項６】
各前記第６スイッチは、前記第５スイッチがオンしている時に同時にオンすることを特徴とする請求項４記載の光電変換回路。
【発明の詳細な説明】
【技術分野】
【０００１】
本発明は、出力電圧を後段の信号処理回路によって信号処理される光電変換回路に関する。
【背景技術】
【０００２】
従来のイメージセンサについて説明する。図４は、従来のイメージセンサを示すブロック図である。
【０００３】
ここで、イメージセンサ８０の全ての光電変換回路６０において、信号Φ４１がハイになっていて、スイッチ６２がオンしていて、信号Φ４２がローになっていて、スイッチ６４がオフしている。この時、光電変換素子６１が入射光に基づいて電気信号Ｖｌを出力する。すると、電気信号Ｖｌに基づいた電圧はスイッチ６２を介して容量６３に蓄積される。所定の蓄積時間が経過すると、信号Φ４１がローになり、スイッチ６２がオフし、容量６３に蓄積された電荷が保持される。
【０００４】
その後、イメージセンサ８０における１〜Ｎ段目の光電変換回路６０が順次出力動作し、それぞれの信号Φ４２が順次ハイになっていき、それぞれのスイッチ６４が順次オンしていき、それぞれの電気信号Ｖｌに基づいた電圧が信号処理回路７０に順次出力されていく。その後、これらの電気信号Ｖｌに基づいた電圧は信号処理回路７０によって順次信号処理される（例えば、特許文献１参照）。
【先行技術文献】
【特許文献】
【０００５】
【特許文献１】特開２００６−１０９３７７号公報
【発明の開示】
【発明が解決しようとする課題】
【０００６】
ここで、例えば、１段目の光電変換回路６０において１回目の入射光が取り込まれてから２回目の入射光が取り込まれるまでの間に、１〜Ｎ段目の光電変換回路６０が順次出力動作し、さらに、各光電変換回路６０による電気信号Ｖｌに基づいた電圧は信号処理回路７０によって順次信号処理されることになる。
【０００７】
よって、１段目の光電変換回路６０において１回目の入射光が取り込まれてから２回目の入射光が取り込まれるまでの間に、上記の動作による信号処理時間が必要になるので、その分、光電変換回路６０は１〜２回目の入射光を連続して取り込めない。
【０００８】
本発明は、上記課題に鑑みてなされ、入射光を連続して取り込むことができる光電変換回路を提供する。
【課題を解決するための手段】
【０００９】
本発明は、上記課題を解決するため、出力電圧を後段の信号処理回路によって信号処理される光電変換回路において、入射光を電気信号に変換する光電変換素子と、前記光電変換素子の出力端子と前記光電変換回路の出力端子との間に順番に設けられる第１スイッチ及び第２スイッチと、前記第１スイッチ及び前記第２スイッチの接続点と接地端子との間に第３スイッチ及び第１容量を順番に有し、前記第１スイッチ及び前記第３スイッチがオンすると前記第１容量に前記電気信号に基づいた電圧を蓄積し、前記第２スイッチ及び前記第３スイッチがオンすると前記第１容量から前記電気信号に基づいた電圧を出力する複数個の第１蓄積回路と、を備えることを特徴とする光電変換回路を提供する。
【発明の効果】
【００１０】
本発明では、複数個の蓄積回路に対応して複数個の容量が設けられ、第一スイッチ及び一の蓄積回路の第三スイッチがオンして他の蓄積回路の第三スイッチがオフすることにより、一の蓄積回路の容量に一の入射光による電気信号に基づいた電圧が蓄積され、その後、その電圧を信号処理回路が信号処理する前に、第一スイッチ及び他の蓄積回路の第三スイッチがオンして一の蓄積回路の第三スイッチがオフすることにより、他の蓄積回路の容量に他の入射光による電気信号に基づいた電圧が蓄積される。つまり、光電変換回路は複数回の入射光を連続して取り込むことができる。
【図面の簡単な説明】
【００１１】
【図１】イメージセンサを示すブロック図である。
【図２】イメージセンサの動作を示すタイムチャートである。
【図３】イメージセンサの動作を示すタイムチャートである。
【図４】従来のイメージセンサを示すブロック図である。
【発明を実施するための形態】
【００１２】
以下、本発明の実施形態を、図面を参照して説明する。
【００１３】
まず、イメージセンサ５０の構成について説明する。図１は、イメージセンサを示すブロック図である。
【００１４】
イメージセンサ５０は、複数個の光電変換回路１０、信号処理回路３０及び制御回路４０を備える。
【００１５】
光電変換回路１０は、光電変換素子１１、スイッチ１２、ソースフォロア１３、スイッチ１４〜１５、容量１６、スイッチ１７、容量１８、スイッチ１９、スイッチ２０〜２１、容量２２、スイッチ２３、容量２４、スイッチ２５及びソースフォロア２６を有する。信号処理回路３０は、アンプ３１、容量３２、スイッチ３３、アンプ３４、バッファ３５及びスイッチ３６を有する。
【００１６】
複数個の光電変換回路１０は、出力端子を信号処理回路３０の入力端子にそれぞれ接続される。制御回路４０は、第１出力端子を複数個の光電変換回路１０にそれぞれ接続される。第２〜第９出力端子も同様である。また、制御回路４０は、第１０〜第１１出力端子を信号処理回路３０に接続される。
【００１７】
光電変換素子１１は、ソースフォロア１３の入力端子と接地端子との間に設けられる。スイッチ１２は、リセット電圧を入力されるリセット端子２７とソースフォロア１３の入力端子との間に設けられる。ソースフォロア１３は、出力端子をソースフォロア２６の入力端子にスイッチ１４及びスイッチ１９を順番に介して接続される。ソースフォロア１３は、出力端子をソースフォロア２６の入力端子にスイッチ２０及びスイッチ２５を順番に介して接続される。容量１６は、スイッチ１４とスイッチ１９との接続点と、接地端子と、の間にスイッチ１５を介して設けられる。容量１８は、スイッチ１４とスイッチ１９との接続点と、接地端子と、の間にスイッチ１７を介して設けられる。容量２１は、スイッチ２０とスイッチ２５との接続点と、接地端子と、の間にスイッチ２１を介して設けられる。容量２４は、スイッチ２０とスイッチ２５との接続点と、接地端子と、の間にスイッチ２３を介して設けられる。ソースフォロア２６は、出力端子をアンプ３１の入力端子に接続される。
【００１８】
容量３２は、アンプ３１とアンプ３４との間に設けられる。スイッチ３３は、基準電圧Ｖｒｅｆを入力される基準端子３７と、容量３２とアンプ３４との接続点と、の間に設けられる。アンプ３４は、出力端子をバッファ３５の入力端子に接続される。スイッチ３６は、バッファ３５の出力端子と出力電圧Ｖｏｕｔを出力する出力端子３８との間に設けられる。
【００１９】
制御回路４０は、第１出力端子をスイッチ１２に接続され、第２出力端子をスイッチ１４に接続され、第３出力端子をスイッチ１５に接続され、第４出力端子をスイッチ１７に接続され、第５出力端子をスイッチ１９に接続され、第６出力端子をスイッチ２０に接続され、第７出力端子をスイッチ２１に接続され、第８出力端子をスイッチ２３に接続され、第９出力端子をスイッチ２５に接続される。また、制御回路４０は、第１０出力端子をスイッチ３３に接続され、第１１出力端子をスイッチ３６に接続される。
【００２０】
リセット端子２７は、光電変換素子１１の出力電圧をリセット電圧Ｖｒにリセットするための端子である。スイッチ１５及び容量１６からなる蓄積回路は、スイッチ１４〜１５がオンすると容量１６にリセット電圧Ｖｒに基づいた電圧を蓄積し、スイッチ１５及びスイッチ１９がオンすると容量１６からリセット電圧Ｖｒに基づいた電圧を出力する。スイッチ１７及び容量１８からなる蓄積回路は、スイッチ１４及びスイッチ１７がオンすると容量１８にリセット電圧Ｖｒに基づいた電圧を蓄積し、スイッチ１７及びスイッチ１９がオンすると容量１８からリセット電圧Ｖｒに基づいた電圧を出力する。この時、スイッチ１５及びスイッチ１７は、スイッチ１９がオンしている時に順次オンする。
【００２１】
光電変換素子１１は、１回目の入射光を電気信号Ｖｌ１に変換し、二回目の入射光を電気信号Ｖｌ２に変換する。スイッチ２１及び容量２２からなる蓄積回路は、スイッチ２０〜２１がオンすると容量２２に電気信号Ｖｌ１に基づいた電圧を蓄積し、スイッチ２１及びスイッチ２５がオンすると容量２２から電気信号Ｖｌ１に基づいた電圧を出力する。スイッチ２３及び容量２４からなる蓄積回路は、スイッチ２０及びスイッチ２３がオンすると容量２４に電気信号Ｖｌ２に基づいた電圧を蓄積し、スイッチ２３及びスイッチ２５がオンすると容量２４から電気信号Ｖｌ２に基づいた電圧を出力する。この時、スイッチ２１及びスイッチ２３は、スイッチ２５がオンしている時に順次オンする。
【００２２】
次に、イメージセンサ５０の動作について説明する。図２は、イメージセンサの動作を示すタイムチャートである。
【００２３】
ここで、ソースフォロア１３とソースフォロア２６とアンプ３１との合計の増幅率はＡであるとし、アンプ３４及びバッファ３５の合計の増幅率はＢであるとする。
【００２４】
［全ての光電変換回路１０における、１回目の入射光を取り込む動作］ここで、信号Φ６〜Φ９がローであり、スイッチ２０〜２１とスイッチ２３とスイッチ２５とがオフする。また、信号Φ１〜Φ３がハイになり、スイッチ１２及びスイッチ１４〜１５がオンする。また、信号Φ４〜Φ５がローになり、スイッチ１７及びスイッチ１９がオフする。すると、リセット電圧Ｖｒに基づいた電圧は、スイッチ１２とソースフォロア１３とスイッチ１４とスイッチ１５とを介して容量１６に蓄積される。所定の蓄積時間が経過すると、信号Φ１〜Φ３がローになり、スイッチ１２及びスイッチ１４〜１５がオフし、容量１６の電荷が保持される。
【００２５】
その後、信号Φ１〜Φ５がローであり、スイッチ１２とスイッチ１４〜１５とスイッチ１７とスイッチ１９とがオフする。また、信号Φ６〜Φ７がハイになり、スイッチ２０〜２１がオンする。また、信号Φ８〜Φ９がローになり、スイッチ２３及びスイッチ２５がオフする。すると、電気信号Ｖｌ１に基づいた電圧は、ソースフォロア１３とスイッチ２０とスイッチ２１とを介して容量２２に蓄積される。所定の蓄積時間が経過すると、信号Φ６〜Φ７がローになり、スイッチ２０〜２１がオフし、容量２２の電荷が保持される。
【００２６】
［全ての光電変換回路１０における、２回目の入射光を取り込む動作］ここで、信号Φ６〜Φ９がローであり、スイッチ２０〜２１とスイッチ２３とスイッチ２５とがオフする。また、信号Φ１〜Φ２及び信号Φ４がハイになり、スイッチ１２とスイッチ１４とスイッチ１７とがオンする。また、信号Φ３及び信号Φ５がローになり、スイッチ１５及びスイッチ１９がオフする。すると、リセット電圧Ｖｒに基づいた電圧は、スイッチ１２とソースフォロア１３とスイッチ１４とスイッチ１７とを介して容量１８に蓄積される。所定の蓄積時間が経過すると、信号Φ１〜Φ２及び信号Φ４がローになり、スイッチ１２とスイッチ１４とスイッチ１７とがオフし、容量１８の電荷が保持される。
【００２７】
その後、信号Φ１〜Φ５がローであり、スイッチ１２とスイッチ１４〜１５とスイッチ１７とスイッチ１９とがオフする。また、信号Φ６及び信号Φ８がハイになり、スイッチ２０及びスイッチ２３がオンする。また、信号Φ７及び信号Φ９がローになり、スイッチ２１及びスイッチ２５がオフする。すると、電気信号Ｖｌ１に基づいた電圧は、ソースフォロア１３とスイッチ２０とスイッチ２３とを介して容量２４に蓄積される。所定の蓄積時間が経過すると、信号Φ６及び信号Φ８がローになり、スイッチ２０及びスイッチ２３がオフし、容量２４の電荷が保持される。
【００２８】
ここで、通常、画像処理装置は複数個のイメージセンサ５０を有していて、動作するよう選択されているイメージセンサ５０において、信号Φ１１はハイになっていて、スイッチ３６はオンしている。
【００２９】
［１段目の光電変換回路１０における、１回目の入射光による電気信号Ｖｌ１に基づいた電圧を信号処理する動作］その後、信号Φ３と信号Φ５と信号Φ１０とがハイになり、スイッチ１５とスイッチ１９とスイッチ３３とがオンする。リセット電圧Ｖｒに基づいた電圧は、スイッチ１５とスイッチ１９とソースフォロア２６とアンプ３１とを介して容量３２に蓄積されて電圧（Ｖａ＝Ａ×Ｖｒ）になる。この時、基準電圧Ｖｒｅｆが容量３２に印加されているので、電圧Ｖｂは基準電圧Ｖｒｅｆになる。電圧Ｖｂは、アンプ３４とバッファ３５とスイッチ３６とを介して電圧（Ｂ×Ｖｒｅｆ）になり、出力電圧Ｖｏｕｔになる。
【００３０】
また、信号Φ７及び信号Φ９がハイになり、スイッチ２１及びスイッチ２５がオンする。電気信号Ｖｌ１に基づいた電圧は、スイッチ２１とスイッチ２５とソースフォロア２６とアンプ３１とを介して容量３２に蓄積されて電圧（Ｖａ＝Ａ×Ｖｌ１）になる。この時、信号Φ１０がローになり、スイッチ３３がオフするので、電圧Ｖａが変化した分電圧Ｖｂも変化するようになる。よって、電圧Ｖａ及び電圧Ｖｂの変化分は電圧Ａ（Ｖｌ１−Ｖｒ）であるので、電圧Ｖｂは電圧｛Ａ（Ｖｌ１−Ｖｒ）＋Ｖｒｅｆ｝になる。電圧Ｖｂは、アンプ３４とバッファ３５とスイッチ３６とを介して電圧Ｂ｛Ａ（Ｖｌ１−Ｖｒ）＋Ｖｒｅｆ｝になり、出力電圧Ｖｏｕｔになる。
【００３１】
［１〜Ｎ段目の光電変換回路１０における、１回目の入射光による電気信号Ｖｌ１に基づいた電圧を順次信号処理する動作］１〜Ｎ段目の光電変換回路１０が順次出力動作し、それぞれのリセット電圧Ｖｒに関する信号Φ３及び信号Φ５と電気信号Ｖｌ１に関する信号Φ７及びΦ９とが順次ハイになっていき、それぞれのスイッチ１５及びスイッチ１９とスイッチ２１及びスイッチ２５とが順次オンしていき、それぞれのリセット電圧Ｖｒ及び電気信号Ｖｌ１に基づいた電圧が信号処理回路３０に順次出力されていく。その後、これらのリセット電圧Ｖｒ及び電気信号Ｖｌ１に基づいた電圧は信号処理回路３０によって順次信号処理される。
【００３２】
［１段目の光電変換回路１０における、２回目の入射光による電気信号Ｖｌ２に基づいた電圧を信号処理する動作］その後、信号Φ４〜Φ５及び信号Φ１０がハイになり、スイッチ１７とスイッチ１９とスイッチ３３とがオンする。リセット電圧Ｖｒに基づいた電圧は、スイッチ１７とスイッチ１９とソースフォロア２６とアンプ３１とを介して容量３２に蓄積されて電圧（Ｖａ＝Ａ×Ｖｒ）になる。この時、基準電圧Ｖｒｅｆが容量３２に印加されているので、電圧Ｖｂは基準電圧Ｖｒｅｆになる。電圧Ｖｂは、アンプ３４とバッファ３５とスイッチ３６とを介して電圧（Ｂ×Ｖｒｅｆ）になり、出力電圧Ｖｏｕｔになる。
【００３３】
また、信号Φ８〜Φ９がハイになり、スイッチ２３及びスイッチ２５がオンする。電気信号Ｖｌ２に基づいた電圧は、スイッチ２３とスイッチ２５とソースフォロア２６とアンプ３１とを介して容量３２に蓄積されて電圧（Ｖａ＝Ａ×Ｖｌ２）になる。この時、信号Φ１０がローになり、スイッチ３３がオフするので、電圧Ｖａが変化した分電圧Ｖｂも変化するようになる。よって、電圧Ｖａ及び電圧Ｖｂの変化分は電圧Ａ（Ｖｌ２−Ｖｒ）であるので、電圧Ｖｂは電圧｛Ａ（Ｖｌ２−Ｖｒ）＋Ｖｒｅｆ｝になる。電圧Ｖｂは、アンプ３４とバッファ３５とスイッチ３６とを介して電圧Ｂ｛Ａ（Ｖｌ２−Ｖｒ）＋Ｖｒｅｆ｝になり、出力電圧Ｖｏｕｔになる。
【００３４】
［１〜Ｎ段目の光電変換回路１０における、２回目の入射光による電気信号Ｖｌ２に基づいた電圧を順次信号処理する動作］１〜Ｎ段目の光電変換回路１０が順次出力動作し、それぞれのリセット電圧Ｖｒに関する信号Φ４〜Φ５と電気信号Ｖｌ２に関する信号Φ８〜Φ９とが順次ハイになっていき、それぞれのスイッチ１７及びスイッチ１９とスイッチ２３及びスイッチ２５とが順次オンしていき、それぞれのリセット電圧Ｖｒ及び電気信号Ｖｌ２に基づいた電圧が信号処理回路３０に順次出力されていく。その後、これらのリセット電圧Ｖｒ及び電気信号Ｖｌ２に基づいた電圧は信号処理回路３０によって順次信号処理される。
【００３５】
このようにすると、２個の容量が設けられ、スイッチ２０〜２１がオンしてスイッチ２３がオフすることにより、容量２２に１回目の入射光による電気信号Ｖｌ１に基づいた電圧が蓄積され、その後、その電圧を信号処理回路３０が信号処理する前に、スイッチ２０及びスイッチ２３がオンしてスイッチ２１がオフすることにより、容量２４に２回目の入射光による電気信号Ｖｌ２に基づいた電圧が蓄積される。つまり、光電変換回路１０は１〜２回の入射光を連続して取り込むことができる。すると、光電変換回路１０が高速で画像を読み取ることができる。
【００３６】
なお、図１では、光電変換素子１１はソースフォロア１３の入力端子と接地端子との間に設けられ、入射光があたると、電気信号Ｖｌ１〜Ｖｌ２が低くなり、電圧Ｖａが高くなる。しかし、図示しないが、光電変換素子１１は電源端子とソースフォロア１３の入力端子との間に設けられ、入射光があたると、電気信号Ｖｌ１〜Ｖｌ２が高くなり、電圧Ｖａも高くなっても良い。
【００３７】
また、図１では、ソースフォロア１３とソースフォロア２６とアンプ３１とアンプ３４とバッファ３５とが使用されているが、これらに限定されない。
【００３８】
また、図１では、２個の容量が設けられ、１〜２回目の入射光が連続して取り込まれる。しかし、図示しないが、複数個の容量が設けられ、複数回目の入射光が連続して取り込まれても良い。
【００３９】
また、図２では、信号Φ３がハイになり、スイッチ１５がオンし、リセット電圧Ｖｒに基づいた電圧が容量１６に蓄積され、その後、信号Φ４がハイになり、スイッチ１７がオンし、リセット電圧Ｖｒに基づいた電圧が容量１８に蓄積される。しかし、図示しないが、信号Φ３〜Φ４が同時にハイになり、スイッチ１５及びスイッチ１７が同時にオンし、リセット電圧Ｖｒに基づいた電圧が容量１６及び容量１８にそれぞれ蓄積されても良い。
【００４０】
また、図２では、信号Φ３〜Φ４が別々にハイになり、スイッチ１５及びスイッチ１７が別々にオンする。すると、信号Φ３〜Φ４がハイである時は出力電圧Ｖｏｕｔがそれぞれ電圧（Ｂ×Ｖｒｅｆ）になる。また、信号Φ７〜Φ８が別々にハイになり、スイッチ２１及びスイッチ２３が別々にオンする。すると、信号Φ７がハイである時は出力電圧Ｖｏｕｔが電圧Ｂ｛Ａ（Ｖｌ１−Ｖｒ）＋Ｖｒｅｆ｝になり、信号Φ８がハイである時は出力電圧Ｖｏｕｔが電圧Ｂ｛Ａ（Ｖｌ２−Ｖｒ）＋Ｖｒｅｆ｝になる。しかし、図３に示すように、信号Φ３〜Φ４が同時にハイになり、スイッチ１５及びスイッチ１７が同時にオンしても良い。すると、容量１６及び容量１８の電荷が平均化されるので、信号Φ３〜Φ４がハイである時は出力電圧Ｖｏｕｔが電圧（Ｂ×Ｖｒｅｆ）になる。また、信号Φ７〜Φ８が同時にハイになり、スイッチ２１及びスイッチ２３が同時にオンしても良い。すると、容量２２及び容量２４の電荷が平均化されるので、信号Φ７〜Φ８がハイである時は出力電圧Ｖｏｕｔが電圧Ｂ［Ａ｛（Ｖｌ１＋Ｖｌ２）／２−Ｖｒ｝＋Ｖｒｅｆ］になる。このようにすると、上記のように、光電変換回路１０は１〜２回目の入射光を連続して取り込むことができる。この時、１〜２回目の入射光は平均化されて１つの出力電圧Ｖｏｕｔとして出力されるので、光源がランダムに光を発する場合、その光源からの入射光を光電変換回路１０が取り込む確率が２倍になる。
【００４１】
また、上記の説明では、イメージセンサは、光電変換回路１０を棒状に有するラインセンサとして説明されているが、制御回路（図示せず）を追加されて光電変換回路１０を格子状に有するエリアセンサであっても良い。
【符号の説明】
【００４２】
１０  光電変換回路
１１  光電変換素子
１２、１４〜１５、１７、１９、２０〜２１、２３、２５、３３、３６  スイッチ
１３、２６  ソースフォロア
１６、１８、２２、２４、３２  容量
２７  リセット端子
３０  信号処理回路
３１、３４  アンプ
３５  バッファ
３７  基準端子
３８  出力端子
４０  制御回路
５０  イメージセンサ
【図２】
2010199700.tif 000003
【図３】
2010199700.tif 000004
【図１】
2010199700.tif 000005
【図４】
2010199700.tif 000006